(57)【要約】      （修正有）【課題】イオン発生装置の送風方向に対する配置によるイオンの濃度への影響を低減する。【解決手段】先端が貫通孔１４１の中央部に位置し、正イオンを発生するための正極針状電極１２０と、先端が貫通孔１９１の中央部に位置し、負イオンを発生するための負極針状電極１３０とを備え、さらに、正極および負極誘電電極１４０，１９０ならびに正極および負極針状電極１２０，１３０が搭載された基板１１０と、正極誘電電極１４０および正極針状電極１２０を内部に収容する正極収容部１５４と、正極誘電電極１４０から見て正極針状電極１２０側とは反対側に位置し、貫通孔１４１を延長する延長孔部１７１を有する筒状部材１７０とを備える。正極収容部１５４は、筒状部材１７０の外側面１７２が内側に位置する開口部１５１を有し、正イオンの少なくとも一部は、延長孔部１７１内を通過して正極誘電電極１４０側とは反対側から放出される。【選択図】図１
2013045607.tif 000002
【特許請求の範囲】
【請求項１】
第１の孔を有する第１の誘電電極と、
第２の孔を有する第２の誘電電極と、
先端が前記第１の孔の中央部に位置し、第１の極性を有する第１のイオンを発生するための第１の針状電極と、
先端が前記第２の孔の中央部に位置し、前記第１の極性とは反対の極性を有する第２のイオンを発生するための第２の針状電極と、
前記第１および第２の誘電電極ならびに前記第１および第２の針状電極が搭載された基板と、
前記基板上に位置し、前記第１の誘電電極および前記第１の針状電極を内部に収容する第１の収容部と、
前記第１の誘電電極から見て前記第１の針状電極側とは反対側に位置し、前記第１の孔を延長する第１の延長孔部を有する第１の筒状部材と
を備え、
前記第１の収容部は、前記第１の筒状部材の外側面が内側に位置する第１の開口部を有し、
前記第１のイオンの少なくとも一部が、前記第１の延長孔部内を通過して前記第１の誘電電極側とは反対側から放出される、イオン発生装置。
【請求項２】
前記基板上に位置し、前記第２の誘電電極および前記第２の針状電極を内部に収容する第２の収容部と、
前記第２の誘電電極から見て前記第２の針状電極側とは反対側に位置し、前記第２の孔を延長する第２の延長孔部を有する第２の筒状部材と
をさらに備え、
前記第２の収容部は、前記第２の筒状部材の外側面が内側に位置する第２の開口部を有し、
前記第２のイオンの少なくとも一部が、前記第２の延長孔部内を通過して前記第２の誘電電極側とは反対側から放出される、請求項１に記載のイオン発生装置。
【請求項３】
前記第１の延長孔部と前記第２の延長孔部とが、平面視において、前記第１の孔の前記中央部と前記第２の孔の前記中央部とを結んだ線に対して互いに反対側に位置している、請求項２に記載のイオン発生装置。
【請求項４】
前記第１の収容部は、前記第１の開口部を塞ぐ第１の弁を有し、
前記第１の弁は、前記第１の収容部の内側にのみ開く構造を有する、請求項２に記載のイオン発生装置。
【請求項５】
前記第２の収容部は、前記第２の開口部を塞ぐ第２の弁を有し、
前記第２の弁は、前記第２の収容部の内側にのみ開く構造を有する、請求項２または４に記載のイオン発生装置。
【発明の詳細な説明】
【技術分野】
【０００１】
本発明は、イオン発生装置に関し、特に、正イオンおよび負イオンを発生させるイオン発生装置に関する。
【背景技術】
【０００２】
イオン発生装置の構成を開示した先行文献として、特開２０１０−４４９１７号公報(特許文献１)がある。特許文献１に記載されたイオン発生装置においては、第１の極性を有する第１のイオンを発生する針状電極および誘電電極からなる第１の電極部と、第１の極性とは反対の極性を有する第２のイオンを発生する針状電極および誘電電極からなる第２の電極部とを有している。
【０００３】
具体的には、第１の電極部の針状電極と誘電電極との間に第１の極性の高電圧パルスを印加することにより針状電極の先端部でコロナ放電を発生させて第１のイオンを発生させる。第２の電極部の針状電極と誘電電極との間に第２の極性の高電圧パルスを印加することにより針状電極の先端部でコロナ放電を発生させて第２のイオンを発生させる。
【０００４】
イオン発生装置から発生した第１のイオンおよび第２のイオンは、送風機による風に乗せられて運ばれる。通常、発生した第１のイオンおよび第２のイオンを消滅させずに遠方まで運ぶために、送風機の送風方向に直交する方向に第１の電極部および第２の電極部を並設する。
【先行技術文献】
【特許文献】
【０００５】
【特許文献１】特開２０１０−４４９１７号公報
【発明の概要】
【発明が解決しようとする課題】
【０００６】
イオン発生装置を備える電気機器において小型化を図るために、送風機の送風方向に第１の電極部および第２の電極部を並設しなければならない場合がある。その場合、風上側で発生した第１のイオンの一部は、風下側に位置する第２の電極部の針状電極に引き寄せられて消滅する。その結果、風上側に位置する電極部から放出された第１のイオンの濃度が低下する。
【０００７】
本発明は上記の問題点に鑑みてなされたものであって、送風方向に対する配置によるイオンの濃度低下を抑制できるイオン発生装置を提供することを目的とする。
【課題を解決するための手段】
【０００８】
本発明に基づくイオン発生装置は、第１の孔を有する第１の誘電電極と、第２の孔を有する第２の誘電電極とを備える。また、イオン発生装置は、先端が第１の孔の中央部に位置し、第１の極性を有する第１のイオンを発生するための第１の針状電極と、先端が第２の孔の中央部に位置し、第１の極性とは反対の極性を有する第２のイオンを発生するための第２の針状電極とを備える。さらに、イオン発生装置は、第１および第２の誘電電極ならびに第１および第２の針状電極が搭載された基板と、この基板上に位置し、第１の誘電電極および第１の針状電極を内部に収容する第１の収容部と、第１の誘電電極から見て第１の針状電極側とは反対側に位置し、第１の孔を延長する第１の延長孔部を有する第１の筒状部材とを備える。第１の収容部は、第１の筒状部材の外側面が内側に位置する第１の開口部を有する。第１のイオンの少なくとも一部は、第１の延長孔部内を通過して第１の誘電電極側とは反対側から放出される。
【０００９】
本発明の一形態においては、イオン発生装置は、基板上に位置し、第２の誘電電極および第２の針状電極を内部に収容する第２の収容部と、第２の誘電電極から見て第２の針状電極側とは反対側に位置し、第２の孔を延長する第２の延長孔部を有する第２の筒状部材とをさらに備える。第２の収容部は、第２の筒状部材の外側面が内側に位置する第２の開口部を有する。第２のイオンの少なくとも一部は、第２の延長孔部内を通過して第２の誘電電極側とは反対側から放出される。
【００１０】
好ましくは、第１の延長孔部と第２の延長孔部とが、平面視において、第１の孔の中央部と第２の孔の中央部とを結んだ線に対して互いに反対側に位置している。
【００１１】
本発明の一形態においては、第１の収容部は、第１の開口部を塞ぐ第１の弁を有する。第１の弁は、第１の収容部の内側にのみ開く構造を有している。
【００１２】
本発明の一形態においては、第２の収容部は、第２の開口部を塞ぐ第２の弁を有する。第２の弁は、第２の収容部の内側にのみ開く構造を有している。
【発明の効果】
【００１３】
本発明によれば、イオン発生装置の送風方向に対する配置によるイオンの濃度低下を抑制できる。
【図面の簡単な説明】
【００１４】
【図１】本発明の実施形態１に係るイオン発生装置の構成を示す斜視図である。
【図２】同実施形態に係るイオン発生装置における空気の流れを模式的に示す一部斜視図である。
【図３】図２のイオン発生装置を矢印ＩＩＩ方向から見た一部平面図である。
【図４】同実施形態に係るイオン発生装置における空気の流れを模式的に示す側面図である。
【図５】本発明の実施形態２に係るイオン発生装置の構成を示す一部平面図である。
【図６】図５のイオン発生装置を矢印ＶＩで示す方向から見た図である。
【図７】同実施形態に係るイオン発生装置において弁に収容部の外側から外力が負荷された状態を示す一部側面図である。
【図８】同実施形態に係るイオン発生装置において弁に収容部の内側から外力が負荷された状態を示す一部側面図である。
【図９】同実施形態に係るイオン発生装置における空気の流れを模式的に示す側面図である。
【図１０】本発明の実施形態３に係るイオン発生装置の構成を示す平面図である。
【発明を実施するための形態】
【００１５】
以下、本発明の実施形態１に係るイオン発生装置について説明する。以下の実施形態の説明においては、図中の同一または相当部分には同一符号を付して、その説明は繰り返さない。なお、実施形態の説明において、説明の便宜上、上、下、左、右の表現を用いるが、これらの表現は示した図に基づくものであって発明の構成を限定するものではない。
【００１６】
(実施形態１)
図１は、本発明の実施形態１に係るイオン発生装置の構成を示す斜視図である。図１においては、ケース１５０を透明にして図示している。
【００１７】
図１に示すように、イオン発生装置１００は、第１の孔である貫通孔１４１を有する第１の誘電電極である正極誘電電極１４０と、第２の孔である貫通孔１９１を有する第２の誘電電極である負極誘電電極１９０とを備える。
【００１８】
また、イオン発生装置１００は、第１の極性を有する第１のイオンである正イオンを発生するための第１の針状電極である正極針状電極１２０を備える。正極針状電極１２０の先端は、貫通孔１４１の中央部に位置している。
【００１９】
さらに、イオン発生装置１００は、第１の極性とは反対の極性を有する第２のイオンである負イオンを発生するための第２の針状電極である負極針状電極１３０を備える。負極針状電極１３０の先端は、貫通孔１９１の中央部に位置している。
【００２０】
正極および負極誘電電極１４０，１９０ならびに正極および負極針状電極１２０，１３０は、基板１１０に搭載されている。具体的には、正極誘電電極１４０は、貫通孔１４１を内側に有する環状部の下面から延びた支持部が基板１１０に接続されることにより基板１１０に搭載されている。負極誘電電極１９０は、貫通孔１９１を内側に有する環状部の下面から延びた支持部が基板１１０に接続されることにより基板１１０に搭載されている。環状部と支持部とは一体で構成されていてもよいし、別体で構成されていてもよい。
【００２１】
本実施形態においては、イオン発生装置１００は、正極誘電電極１４０および正極針状電極１２０を内部に収容する第１の収容部である正極収容部１５４と、負極誘電電極１９０および負極針状電極１３０を内部に収容する第２の収容部である負極収容部１５５とを備える。正極収容部１５４および負極収容部１５５は、基板１１０上に位置している。
【００２２】
正極収容部１５４および負極収容部１５５は、基板１１０上に配置された略直方体状の外形を有するケース１５０で構成されている。ケース１５０は、正極収容部１５４と負極収容部１５５とを仕切る仕切り１５３を含む。ケース１５０は、基板１１０と対向する上部に第１の開口部である開口部１５１および第２の開口部である開口部１５２を有する。
【００２３】
イオン発生装置１００は、貫通孔１４１を延長する第１の延長孔部である延長孔部１７１を有する第１の筒状部材である筒状部材１７０を備える。筒状部材１７０は、正極誘電電極１４０から見て正極針状電極１２０側とは反対側に位置している。筒状部材１７０の外側面１７２は、ケース１５０の開口部１５１の内側に位置している。
【００２４】
正極誘電電極１４０の上面と筒状部材１７０の下面とは接触していることが好ましいが、互いの間に隙間があってもよい。筒状部材１７０は、上方に行くに従って外径が大きくなる外形を有している。具体的には、筒状部材１７０はテーパ状またはラッパ状などの外形を有している。本実施形態においては、筒状部材１７０は、たとえば樹脂からなる絶縁体で構成され、正極誘電電極１４０の上面に接着固定されている。
【００２５】
イオン発生装置１００は、貫通孔１９１を延長する第２の延長孔部である延長孔部１８１を有する第２の筒状部材である筒状部材１８０を備える。筒状部材１８０は、負極誘電電極１９０から見て負極針状電極１３０側とは反対側に位置している。筒状部材１８０の外側面１８２は、ケース１５０の開口部１５２の内側に位置している。
【００２６】
負極誘電電極１９０の上面と筒状部材１８０の下面とは接触していることが好ましいが、互いの間に隙間があってもよい。筒状部材１８０は、上方に行くに従って外径が大きくなる外形を有している。具体的には、筒状部材１８０はテーパ状またはラッパ状などの外形を有している。本実施形態においては、筒状部材１８０は、たとえば樹脂からなる絶縁体で構成され、負極誘電電極１９０の上面に接着固定されている。
【００２７】
本実施形態においては、延長孔部１７１と延長孔部１８１とが、平面視において、貫通孔１４１の中央部と貫通孔１９１の中央部とを結んだ線上に位置している。
【００２８】
以下、本実施形態に係るイオン発生装置１００における正極誘電電極１４０および正極針状電極１２０と、負極誘電電極１９０および負極針状電極１３０とを送風方向に並設した場合について説明する。
【００２９】
図２は、本実施形態に係るイオン発生装置における空気の流れを模式的に示す一部斜視図である。図３は、図２のイオン発生装置を矢印ＩＩＩ方向から見た一部平面図である。図４は、本実施形態に係るイオン発生装置における空気の流れを模式的に示す側面図である。
【００３０】
図２〜４に示すように、図示しない送風機により矢印２００で示す方向に送風されている場合、矢印２１０で示すように空気が正極収容部１５４の外側から筒状部材１７０の外側面１７２に沿って正極収容部１５４内に流入する。
【００３１】
正極収容部１５４内に流入した空気の一部は、矢印２２０で示すように貫通孔１４１および延長孔部１７１の内側を通過して正極収容部１５４の外に流出する。この一部の空気の流れに乗って、正極針状電極１２０の先端近傍で発生した正イオン１０の少なくとも一部が、延長孔部１７１内を通過して正極誘電電極１４０側とは反対側から放出される。
【００３２】
正極収容部１５４内に流入した空気の残部は、矢印２３０で示すように開口部１５１の内側かつ筒状部材１７０の外側を通過して正極収容部１５４の外に流出する。この残部の空気は、正極針状電極１２０の先端近傍を通過しないため、正イオン１０をほとんど含まない。
【００３３】
正極収容部１５４の風下側では、矢印２４０で示すように空気が負極収容部１５５の外側から筒状部材１８０の外側面１８２に沿って負極収容部１５５内に流入する。
【００３４】
負極収容部１５５内に流入した空気の一部は、矢印２５０で示すように貫通孔１９１および延長孔部１８１の内側を通過して負極収容部１５５の外に流出する。この一部の空気の流れに乗って、負極針状電極１３０の先端近傍で発生した負イオンの少なくとも一部が、延長孔部１８１内を通過して負極誘電電極１９０側とは反対側から放出される。
【００３５】
負極収容部１５５内に流入した空気の残部は、矢印２６０で示すように開口部１５２の内側かつ筒状部材１８０の外側を通過して負極収容部１５５の外に流出する。この残部の空気は、負極針状電極１３０の先端近傍を通過しないため、負イオンをほとんど含まない。
【００３６】
このように、筒状部材１７０の長さの分だけ負極収容部１５５の開口部１５２から離れた位置から正イオン１０を含む空気を流出させることにより、正イオン１０が風下側に位置する負極収容部１５５内に流入して負極針状電極１３０に引き寄せられて消滅することを抑制できる。
【００３７】
その結果、風上側に位置する電極から放出された正イオンの濃度が風下側に位置する電極の影響で低下することを抑制できる。なお、本実施形態においては、風上側で正イオン、風下側で負イオンを発生させたが、風上側で負イオン、風下側で正イオンを発生させてもよい。
【００３８】
また、本実施形態においては、風上側に位置する第１の収容部および第１の筒状部材と風下側に位置する第２の収容部および第２の筒状部材とを配置したが、必ずしも風下側に位置する第２の収容部および第２の筒状部材は配置しなくてもよい。風上側に位置する第１の収容部および第１の筒状部材を配置することにより、風上側に位置する電極から放出された第１のイオンの濃度が風下側に位置する電極の影響で低下することを抑制できる。
【００３９】
以下、本発明の実施形態２に係るイオン発生装置について説明する。本実施形態に係るイオン発生装置は、収容部に開口部を塞ぐ弁が設けられている点のみ実施形態１に係るイオン発生装置１００と異なるため、他の構成については説明を繰り返さない。
【００４０】
(実施形態２)
図５は、本発明の実施形態２に係るイオン発生装置の構成を示す平面図である。図６は、図５のイオン発生装置を矢印ＶＩで示す方向から見た一部側面図である。図７は、本実施形態に係るイオン発生装置において弁に収容部の外側から外力が負荷された状態を示す一部側面図である。図８は、本実施形態に係るイオン発生装置において弁に収容部の内側から外力が負荷された状態を示す一部側面図である。図９は、本実施形態に係るイオン発生装置における空気の流れを模式的に示す側面図である。なお、図６においては、正極収容部３５４側のみ図示している。
【００４１】
図５〜９に示すように、本発明の実施形態２に係るイオン発生装置においては、正極誘電電極１４０および正極針状電極１２０を内部に収容する第１の収容部である正極収容部３５４と、負極誘電電極１９０および負極針状電極１３０を内部に収容する第２の収容部である負極収容部３５５とを備える。正極収容部３５４および負極収容部３５５は、基板１１０上に位置している。
【００４２】
正極収容部３５４および負極収容部３５５は、基板１１０上に配置された略直方体状の外形を有するケース３５０で構成されている。ケース３５０は、正極収容部３５４と負極収容部３５５とを仕切る仕切り１５３を含む。
【００４３】
ケース３５０は、基板１１０と対向する上部に第１の開口部である開口部３５１および第２の開口部である開口部３５２を有する。
【００４４】
イオン発生装置は、貫通孔１４１を延長する第１の延長孔部である延長孔部３７１を有する第１の筒状部材である筒状部材３７０を備える。筒状部材３７０は、正極誘電電極１４０から見て正極針状電極１２０側とは反対側に位置している。筒状部材３７０の外側面３７２は、ケース３５０の開口部３５１の内側に位置している。
【００４５】
正極誘電電極１４０の上面と筒状部材３７０の下面とは接触していることが好ましいが、互いの間に隙間があってもよい。筒状部材３７０は、上方に行くに従って外径が大きくなる四角錘台状の外形を有している。本実施形態においては、筒状部材３７０は、たとえば樹脂からなる絶縁体で構成され、正極誘電電極１４０の上面に接着固定されている。
【００４６】
開口部３５１のうち筒状部材３７０の外側面の外側に位置する部分は、筒状部材３７０の外側面３７２により４つの領域３５１ａ〜３５１ｄに分割されている。正極収容部３５４は、この４つの領域３５１ａ〜３５１ｄを塞ぐ第１の弁である弁３６１〜３６４を備えている。具体的には、領域３５１ａに弁３６１、領域３５１ｂに弁３６２、領域３５１ｃに弁３６３、領域３５１ｄに弁３６４が設けられている。
【００４７】
本実施形態においては、弁は、接着テープ３４０によりケース３５０に接着されている。具体的には、板状の弁３６１の一端の下面と、ケース３５０の開口部３５１における領域３５１ａの縁部の下面とが、接着テープ３４０により接続されている。板状の弁３６２の一端の下面と、ケース３５０の開口部３５１における領域３５１ｂの縁部の下面とが、接着テープ３４０により接続されている。板状の弁３６３の一端の下面と、ケース３５０の開口部３５１における領域３５１ｃの縁部の下面とが、接着テープ３４０により接続されている。板状の弁３６４の一端の下面と、ケース３５０の開口部３５１における領域３５１ｄの縁部の下面とが、接着テープ３４０により接続されている。
【００４８】
弁３６１〜３６４は他端に、ケース３５０の開口部３５１の縁部と係合する傾斜面を有している。そのため、弁３６１〜３６４は、収容部の内側に開くことはできるが、収容部の外側に開くことはできない。
【００４９】
図６，７に示すように空気が正極収容部３５４の外側から筒状部材３７０の外側面３７２に沿って領域３５１ａに到達した場合、弁３６１に正極収容部３５４の外側から外力が負荷される。この場合、弁３６１は矢印３０で示すように開いて、矢印２１０で示すように空気が正極収容部３５４内に流入する。
【００５０】
図８に示すように、正極収容部３５４内に流入した空気の一部が、矢印２３０で示すように領域３５１ｃに到達した場合、弁３６３に正極収容部３５４の内側から外力が負荷される。この場合、弁３６３が開かないため、正極収容部３５４内に流入した空気のほとんどが、筒状部材３７０の延長孔部３７１を通過して流出する。
【００５１】
イオン発生装置は、貫通孔１９１を延長する第２の延長孔部である延長孔部３８１を有する第２の筒状部材である筒状部材３８０を備える。筒状部材３８０は、正極誘電電極１９０から見て正極針状電極１３０側とは反対側に位置している。筒状部材３８０の外側面３８２は、ケース３５０の開口部３５２の内側に位置している。
【００５２】
負極誘電電極１９０の上面と筒状部材３８０の下面とは接触していることが好ましいが、互いの間に隙間があってもよい。筒状部材３８０は、上方に行くに従って外径が大きくなる四角錘台状の外形を有している。本実施形態においては、筒状部材３８０は、たとえば樹脂からなる絶縁体で構成され、負極誘電電極１９０の上面に接着固定されている。
【００５３】
開口部３５２のうち筒状部材３８０の外側面の外側に位置する部分は、筒状部材３８０の外側面３８２により４つの領域３５２ａ〜３５２ｄに分割されている。負極収容部３５５は、この４つの領域３５２ａ〜３５２ｄを塞ぐ第２の弁である弁３９１〜３９４を備えている。具体的には、領域３５２ａに弁３９１、領域３５２ｂに弁３９２、領域３５２ｃに弁３９３、領域３５２ｄに弁３９４が設けられている。
【００５４】
本実施形態においては、弁３９１〜３９４は、弁３６１〜３６４と同様に接着テープ３４０によりケース３５０に接着されている。弁３９１〜３９４は他端に、弁３６１〜３６４と同様に、ケース３５０の開口部３５２の縁部と係合する傾斜面を有している。そのため、弁３９１〜３９４は、収容部の内側に開くことはできるが、収容部の外側に開くことはできない。
【００５５】
本実施形態においては、延長孔部３７１と延長孔部３８１とが、平面視において、貫通孔１４１の中央部と貫通孔１９１の中央部とを結んだ線上に位置している。
【００５６】
図９に示すように、図示しない送風機により矢印２００で示す方向に送風されている場合、矢印２１０で示すように空気が正極収容部３５４の外側から筒状部材３７０の外側面３７２に沿って正極収容部３５４内に流入する。
【００５７】
正極収容部３５４内に流入した空気のほとんどは、矢印２２０で示すように貫通孔１４１および延長孔部３７１の内側を通過して正極収容部３５４の外に流出する。この空気の流れに乗って、正極針状電極１２０の先端近傍で発生した正イオンのほとんどが、延長孔部３７１内を通過して正極誘電電極１４０側とは反対側から放出される。
【００５８】
正極収容部３５４の風下側では、矢印２４０で示すように空気が負極収容部３５５の外側から筒状部材３８０の外側面３８２に沿って負極収容部３５５内に流入する。
【００５９】
負極収容部３５５内に流入した空気のほとんどは、矢印２５０で示すように貫通孔１９１および延長孔部３８１の内側を通過して負極収容部３５５の外に流出する。この空気の流れに乗って、負極針状電極１３０の先端近傍で発生した負イオンのほとんどが、延長孔部３８１内を通過して負極誘電電極１９０側とは反対側から放出される。
【００６０】
このように、筒状部材３７０の長さの分だけ負極収容部３５５の開口部３５２から離れた位置から正イオンを含む空気を流出させることにより、正イオンが風下側に位置する負極収容部３５５内に流入して負極針状電極１３０に引き寄せられて消滅することを抑制できる。
【００６１】
また、弁３６２〜３６４を設けることにより、正極収容部３５４内から筒状部材３７０内を通過せずに正極収容部３５４の外に流出する空気を低減できるため、正イオンを含む空気が矢印２４０で示すように負極収容部３５５内に流入することを抑制できる。
【００６２】
その結果、風上側に位置する電極から放出された正イオンの濃度が風下側に位置する電極の影響で低下することを抑制できる。なお、本実施形態においては、風上側で正イオン、風下側で負イオンを発生させたが、風上側で負イオン、風下側で正イオンを発生させてもよい。
【００６３】
また、本実施形態においては、風上側に位置する第１の収容部および第１の筒状部材と風下側に位置する第２の収容部および第２の筒状部材とを配置したが、必ずしも風下側に位置する第２の収容部および第２の筒状部材は配置しなくてもよい。風上側に位置する第１の収容部および第１の筒状部材を配置することにより、風上側に位置する電極から放出された第１のイオンの濃度が風下側に位置する電極の影響で低下することを抑制できる。
【００６４】
さらに、本実施形態においては、筒状部材３７０および筒状部材３８０のそれぞれに４つの弁３６１〜３６４，３９１〜３９４を設けたが、送風方向に位置する弁３６１，３６３および弁３９１，３９３のみ設け、他の領域３５１ｂ，３５１ｄ，３５２ｂ，３５２ｄは開口部３５１，３５２に含まれない閉塞部にしてもよい。このようにした場合、送風方向に対してイオン発生装置の向きを反転させても弁の効果を得ることができる。
【００６５】
本実施形態においては、弁３６１〜３６４，３９１〜３９４を接着テープ３４０で固定したが、弁の形態はこれに限られず、たとえば、ケース３５０の上部に切れ込みを入れて、切れ込みの先端部が下方にのみ屈曲するようにして弁を構成してもよい。
【００６６】
以下、本発明の実施形態３に係るイオン発生装置について説明する。本実施形態に係るイオン発生装置は、筒状部材の形状のみ実施形態１に係るイオン発生装置１００と異なるため、他の構成については説明を繰り返さない。
【００６７】
(実施形態３)
図１０は、本発明の実施形態３に係るイオン発生装置の構成を示す平面図である。図１０に示すように、本発明の実施形態３に係るイオン発生装置は、貫通孔１４１を延長する第１の延長孔部である延長孔部４７１を有する第１の筒状部材である筒状部材４７０を備える。また、イオン発生装置は、貫通孔１９１を延長する第１の延長孔部である延長孔部４８１を有する第２の筒状部材である筒状部材４８０を備える。
【００６８】
筒状部材４７０は、正極誘電電極１４０から見て正極針状電極１２０側とは反対側に位置している。筒状部材４７０の外側面４７２は、ケース１５０の開口部１５１の内側に位置している。
【００６９】
筒状部材４８０は、負極誘電電極１９０から見て負極針状電極１３０側とは反対側に位置している。筒状部材４８０の外側面４８２は、ケース１５０の開口部１５２の内側に位置している。
【００７０】
本実施形態においては、延長孔部４７１と延長孔部４８１とが、平面視において、貫通孔１４１の中央部と貫通孔１９１の中央部とを結んだ線４９０に対して互いに反対側に位置している。
【００７１】
図１０に示すように、筒状部材４７０の上端部が下端部に対して図中の下方に偏芯し、筒状部材４８０の上端部が下端部に対して図中の上方に偏芯することにより、平面視において、延長孔部４７１と延長孔部４８１とが線４９０に対して互いに反対側に位置している。ただし、筒状部材４７０および筒状部材４８０の形状はこれに限られず、筒状部材４７０および筒状部材４８０が互いに反対向きに傾斜していてもよい。
【００７２】
図示しない送風機により矢印２００で示す方向に送風されている場合、正極収容部４５４内に流入した空気の一部は、矢印２２０で示すように貫通孔１４１および延長孔部４７１の内側を通過して正極収容部４５４の外に流出する。この空気の流れに乗って、正極針状電極１２０の先端近傍で発生した正イオンの少なくとも一部が、延長孔部４７１内を通過して正極誘電電極１４０側とは反対側から放出される。
【００７３】
負極収容部４５５内に流入した空気の一部は、矢印２５０で示すように貫通孔１９１および延長孔部４８１の内側を通過して負極収容部４５５の外に流出する。この空気の流れに乗って、負極針状電極１３０の先端近傍で発生した負イオンの少なくとも一部が、延長孔部４８１内を通過して負極誘電電極１９０側とは反対側から放出される。
【００７４】
延長孔部４７１から放出された正イオンと延長孔部４８１から放出された負イオンとは、送風方向に直交する方向において互いに離れた位置から放出されるため、放出後に正イオンと負イオンとが衝突して中和されることにより対消滅することを抑制することができる。その結果、高濃度のイオンを含む空気を遠方まで送ることができる。
【００７５】
本実施形態の構成と実施形態２の構成とを組み合わせてもよい。上記の実施形態において、イオン発生装置の送風方向に対する配置は適宜変更することができる。その配置に対応して筒状部材の形状および延長孔部の位置を任意に変更できるフレキシブルな筒状部材を用いてもよい。
【００７６】
今回開示された実施形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７７】
１０  正イオン、１００  イオン発生装置、１１０  基板、１２０  正極針状電極、１３０  負極針状電極、１４０  正極誘電電極、１４１，１９１  貫通孔、１５０，３５０  ケース、１５１，１５２，３５１，３５２  開口部、１５３  仕切り、１５４，３５４，４５４  正極収容部、１５５，３５５，４５５  負極収容部、１７０，１８０，３７０，３８０，４７０，４８０  筒状部材、１７１，１８１，３７１，３８１，４７１，４８１  延長孔部、１７２，１８２，３７２，３８２，４７２，４８２  外側面、１９０  負極誘電電極、３４０  接着テープ、３６１〜３６４，３９１〜３９４  弁。
【図１】
2013045607.tif 000003
【図２】
2013045607.tif 000004
【図３】
2013045607.tif 000005
【図４】
2013045607.tif 000006
【図５】
2013045607.tif 000007
【図６】
2013045607.tif 000008
【図７】
2013045607.tif 000009
【図８】
2013045607.tif 000010
【図９】
2013045607.tif 000011
【図１０】
2013045607.tif 000012